(57)【要約】【課題】スピーカユニットを収納したスピーカキャビネットをワンタッチ操作で所定の場所へ確実に固定し，同時に電気的配線を完了することができるスピーカ取付装置を提供する。【解決手段】スピーカユニット６を収納し、そのスピーカユニット６と電気的に接続した一対の信号入力端子５２ａ、５２ｂを露出させて設けたスピーカキャビネット５と、スピーカキャビネット５を着脱自在に嵌合保持し、そのスピーカキャビネット５の嵌合完了位置においてスピーカキャビネット５の信号入力端子５２ａ、５２ｂとそれぞれ接触する一対の信号電極７４ａ、７４ｂを有し、壁面等１０に固定されるホルダ７と、ホルダ７に設けた一対の信号電極７４ａ、７４ｂとオーディオ信号増幅器との間を電気的に接続する信号伝送用コード８とで構成する。【選択図】  図１
2005286929.tif 000002
【特許請求の範囲】
【請求項１】
スピーカユニットを収納するとともに、そのスピーカユニットと電気的に接続した一対の信号入力端子を露出させて設けたスピーカキャビネットと、
スピーカキャビネットを着脱自在に嵌合保持するとともに、スピーカキャビネットの嵌合完了位置においてスピーカキャビネットの信号入力端子とそれぞれ接触する一対の信号電極を有し、取付部に固定されるホルダと、
ホルダに設けた一対の信号電極とオーディオ信号増幅器との間を電気的に接続する信号伝送用コードと
からなることを特徴とするスピーカ取付装置。
【請求項２】
スピーカユニットを収納するとともに、そのスピーカユニットと電気的に接続した一対の信号入力端子を露出させて設けたスピーカキャビネットと、
電源を必要とする電子装置を収納するとともに、その電子装置と電気的に接続した一対の電源入力端子を露出させて設けた電子装置用キャビネットと、
スピーカキャビネットあるいは電子装置用キャビネットを着脱自在に嵌合保持するとともに、スピーカキャビネットあるいは電子装置用キャビネットの嵌合完了位置においてスピーカキャビネットの信号入力端子とそれぞれ接触する一対の信号電極および電子装置用キャビネットの電源入力端子とそれぞれ接触する一対の電源用電極を有し、取付部に固定されるホルダと、
ホルダに設けた一対の信号電極とオーディオ信号増幅器との間を電気的に接続する信号伝送用コードと、
ホルダに設けた一対の電源用電極と外部電源との間を電気的に接続する電源用コードと
からなることを特徴とするスピーカ取付装置。
【請求項３】
上記ホルダは、スピーカキャビネットあるいは電子装置用キャビネットを嵌合保持する際の挿入口の内側端縁部分を上向きのすり鉢状に形成したことを特徴とする請求項１または２記載のスピーカ取付装置。
【請求項４】
上記ホルダは、スピーカキャビネットあるいは電子装置用キャビネットを嵌合保持するための嵌合孔の形状をスピーカキャビネットあるいは電子装置キャビネットの外周形状と同じ楕円形状に形成し、装着したスピーカキャビネットあるいは電子装置用キャビネットの回動を防止するように構成したことを特徴とする請求項１から３のいずれか一項記載のスピーカ取付装置。
【請求項５】
上記ホルダは、スリットを設けて、スピーカキャビネットあるいは電子装置用キャビネットの装着時に弾性変形するように構成したことを特徴とする請求項１から４のいずれか一項記載のスピーカ取付装置。
【請求項６】
上記スピーカキャビネットあるいは電子装置用キャビネットは、自重によりホルダ内へ納まり、信号入力端子と信号電極あるいは電源入力端子と電源用電極がそれぞれ接触状態並びにホルダへの固定状態となるように構成したことを特徴とする請求項１から５のうちいずれか一項記載のスピーカ取付装置。
【発明の詳細な説明】
【技術分野】
【０００１】
本発明は、スピーカの取付装置に関し、特に、車載用スピーカを車室内の壁等に取り付けるのに好適なスピーカ取付装置に関する。
【背景技術】
【０００２】
従来、車載用のスピーカを車室内の壁等に取り付ける場合は、図５に示すように、車載用スピーカ１を専用の取付金具２とネジ３を用いて壁等４へ固定していた。この図５に示すようなスピーカ取付装置は、壁等へ強固に取り付ける必要があるため、その取り付け場所としては、平らで、ある程度のスペースがある箇所に限定されていた。
【０００３】
また、従来の車載用スピーカの取付装置には、スピーカユニットの背面側にボイスコイルと接続した２つのランドを設け、この２つのランドと取付金具側へ設けた２つの端子とを圧接することによって、スピーカユニットと取付金具側の給電線との電気的配線を容易にしたスピーカの接続構造が提案されている。（例えば、特許文献１参照）
【特許文献１】実開平５−６３１９２号公報（第３―５頁、第１図）
【発明の開示】
【発明が解決しようとする課題】
【０００４】
しかしながら、上述した従来のスピーカ取付装置のうち前者においては、平らで、ある程度のスペースがある場所へ強固に取り付ける必要があるため、車室内の限られた場所にしか取り付けを行なうことができないという問題点があった。
【０００５】
また、後者においては、スピーカユニットを右または左回りに９０度回転させることによって、スピーカユニットを取付金具に係止するとともに、ランドと端子が圧接して電気的配線を行なうように構成しているため、外部振動等によって、スピーカユニットと取付金具との係止が緩む虞があり、ランドと端子との電気的接続が不安定な状態となる問題点があった。
【０００６】
本発明は、従来の技術の有するこのような問題点に鑑みてなされたものであり、その目的とするところは、スピーカユニットを収納したスピーカキャビネットをワンタッチ操作で所定の場所へ確実に固定すると同時に、電気的配線を完了することができるスピーカ取付装置を提供することにある。
【０００７】
また、スピーカキャビネットをホルダへ取り付けていない状態にあるときは、そのホルダの空き状態を利用して、他の電子装置を取り付けることを可能にしたスピーカ取付装置を提供することを目的としている。
【課題を解決するための手段】
【０００８】
上記の目的を達成するために、本発明のスピーカ取付装置においては、スピーカユニットを収納するとともに、そのスピーカユニットと電気的に接続した一対の信号入力端子を露出させて設けたスピーカキャビネットと、
スピーカキャビネットを着脱自在に嵌合保持するとともに、スピーカキャビネットの嵌合完了位置においてスピーカキャビネットの信号入力端子とそれぞれ接触する一対の信号電極を有し、壁面等に固定されるホルダと、
ホルダに設けた一対の信号電極とオーディオ信号増幅器との間を電気的に接続する信号伝送用コードとからなることを特徴としたものである。
【０００９】
また、本発明のスピーカ取付装置においては、スピーカユニットを収納するとともに、そのスピーカユニットと電気的に接続した一対の信号入力端子を露出させて設けたスピーカキャビネットと、
電源を必要とする電子装置を収納するとともに、その電子装置と電気的に接続した一対の電源入力端子を露出させて設けた電子装置用キャビネットと、
スピーカキャビネットあるいは電子装置用キャビネットを着脱自在に嵌合保持するとともに、スピーカキャビネットあるいは電子装置用キャビネットの嵌合完了位置においてスピーカキャビネットの信号入力端子とそれぞれ接触する一対の信号電極および電子装置用キャビネットの電源入力端子とそれぞれ接触する一対の電源用電極を有し、壁面等に固定されるホルダと、
ホルダに設けた一対の信号電極とオーディオ信号増幅器との間を電気的に接続する信号伝送用コードと、
ホルダに設けた一対の電源用電極と外部電源との間を電気的に接続する電源用コードと
からなることを特徴としたものである。
【００１０】
また、上記ホルダは、スピーカキャビネットあるいは電子装置用キャビネットを嵌合保持する際の挿入口の内側端縁部分を上向きのすり鉢状に形成することが好ましい。
【００１１】
さらに、上記ホルダは、スピーカキャビネットあるいは電子装置用キャビネットを嵌合保持するための嵌合孔の形状をスピーカキャビネットあるいは電子装置用キャビネットの外形形状と同じ楕円形状に形成し、装着したスピーカキャビネットあるいは電子装置用キャビネットの回動を防止するように構成することが好ましい。
【００１２】
また、上記ホルダは、スリットを設けて、スピーカキャビネットあるいは電子装置用キャビネットの装着時に弾性変形するように構成することが効果的である。
【００１３】
さらに、上記スピーカキャビネットあるいは電子装置用キャビネットは、自重によりホルダ内へ納まり、信号入力端子と信号電極あるいは電源入力端子と電源用電極がそれぞれ接触状態並びにホルダへの固定状態となるように構成することが効果的である。
【発明の効果】
【００１４】
本発明のスピーカ取付装置は、特殊な加工を一切必要とせず、スピーカユニットを収納したスピーカキャビネットをホルダに対してワンタッチ操作で着脱することができ、かつこのホルダへの装着と同時に電気的配線を完了させることができ、誰もが簡単に取り付けを行なうことができる。
【００１５】
また、ホルダへスピーカキャビネットを装着していない状態にあるときは、そのホルダの空きを利用して、他の機能を有する電子装置を収納した電子装置用キャビネットの装着を可能にするとともに、その装着と同時に電気的配線を完了させることができるから、新たに配線を施すことなく機能の拡大を図ることができる。
【００１６】
さらに、本発明のスピーカ取付装置は、例えば、ホルダを車室内の複数箇所へ予め設置することによって、スピーカユニットを収納したスピーカキャビネットの装着場所を容易に変更することが可能となり、音の放射方向を自由に変えることができ、車室内の音場調整を行なうことができる。
【００１７】
また、口径の異なる所望のスピーカユニットを収納した複数個のスピーカキャビネットを予め用意しておくことにより、追加して取り付けたり、変更することが簡単かつ容易に可能となり、より良質な音を聴取することができる。
【発明を実施するための最良の形態】
【００１８】
スピーカユニットを収納するとともに、そのスピーカユニットと電気的に接続した一対の信号入力端子を露出させて設けたスピーカキャビネットと、スピーカキャビネットを着脱自在に嵌合保持するとともに、スピーカキャビネットの嵌合完了位置においてスピーカキャビネットの信号入力端子とそれぞれ接触する一対の信号電極を有し、壁面等に固定されるホルダと、ホルダに設けた一対の信号電極とオーディオ信号増幅器との間を電気的に接続する信号伝送用コードとからなるスピーカ取付装置。
【実施例１】
【００１９】
本発明の係るスピーカ取付装置の第１の実施例を図１および図２に基づいて説明する。図１は、スピーカユニットを収納したスピーカキャビネットと、そのスピーカキャビネットを嵌合保持するホルダの取り付け状態を示す斜視図、図２は、スピーカキャビネットをホルダへ嵌合保持させた状態を示す一部分を断面した側面図である。
【００２０】
図１および図２において、スピーカキャビネット５は、合成樹脂で成形され、そのスピーカキャビネット５の上部には、スピーカユニット６を収納している。また、このスピーカキャビネット５は、後述するホルダ７の嵌合孔７１へ嵌合することができるように、略中央部から下側の外周壁面５１を楕円形状に形成している。このように、スピーカキャビネット５の外周壁面５１を楕円形状に形成することによって、スピーカキャビネット５をホルダ７の嵌合孔７１へ嵌合し、固定したときに、スピーカキャビネット５自体が外部振動等によって回動しないように形成している。
【００２１】
さらに、スピーカキャビネット５の外周壁面５１のやや上側には、露出した一対の信号入力端子５２ａ、５２ｂを設けている。この一対の信号入力端子５２ａ、５２ｂは、スピーカユニット６のボイスコイル（図示しない）と電気的にそれぞれ接続されている。また、スピーカキャビネット５の外周壁面５１の正面下側部分には、ホルダ７への固定をより強固なものとするため半球形状に形成した２つの係止突起５３を所定の間隔をおいて並行に設けている。
【００２２】
一方、上記スピーカキャビネット５を嵌合保持するホルダ７は、弾性を有する合成樹脂で形成され、その中央部分には、縦方向に貫通した嵌合孔７１を設けている。この嵌合孔７１は、スピーカキャビネット５が嵌合できるように、スピーカキャビネット５の外形寸法よりもわずかに大きい楕円形状に形成されている。また、嵌合孔７１の上端部７２を上向きのすり鉢形状に形成し、スピーカキャビネット５を嵌合孔７１の挿入口へ誘導し、容易に嵌合できるように構成している。
【００２３】
さらに、上記嵌合孔７１の内周壁面７３には、一対の信号電極７４ａ、７４ｂを設けている。この一対の信号電極７４ａ、７４ｂは、スピーカキャビネット５が嵌合孔７１へ嵌合し、固定されたときに、スピーカキャビネット５の信号入力端子５２ａ、５２ｂと相対し、接触する位置に設けられている。また、この信号電極７４ａ、７４ｂには、信号伝送用コード８がそれぞれ接続されている。したがって、信号入力端子５２ａ、５２ｂと信号電極７４ａ、７４ｂとがそれぞれ接触することによって、スピーカユニット６とオーディオ信号増幅器（図示しない）との間の電気的配線が完了した状態となる。
【００２４】
また、ホルダ７の正面中央部分には、スリット７５を縦方向に設けている。このスリット７５を設けたことによって、スピーカキャビネット５を嵌合孔７１へ押し込むようにして挿入し嵌合させた際に、係止突起５３が嵌合孔７１の内周壁面７３を押圧してホルダ７を弾性変形させてスリット７５を押し広げ、スピーカキャビネット５が嵌合孔７１へ挿入するこができる。
【００２５】
したがって、係止突起５３は、スピーカキャビネット５の嵌合孔７１への挿入に伴って、スリット７５を押し広げた状態のまま切り欠き部７６方向へ移動し、切り欠き部７６へ係合する。このようにして係止突起５３が切り欠き部７６へ係合することにより、スピーカキャビネット５がホルダ７に固定される。この時、上述したように、信号入力端子５２ａ、５２ｂと信号電極７４ａ、７４ｂとがそれぞれ接触して電気的配線が完了する。
【００２６】
また、信号入力端子５２ａ、５２ｂと信号電極７４ａ、７４ｂは、少なくともそのいずれか一方にバネ性を持たせて形成することによって、スピーカキャビネット５をホルダ７の嵌合孔７１へ嵌合保持させた際の固定機構としての機能と、電気的接続をより確実なものとすることが可能となる。
【００２７】
上記のように構成したホルダ７を、例えば、車室内に取り付ける場合は、ホルダ７の設けた取付穴７７にネジ９を通して車輌の樹脂製部品１０等へ強固に固定する。このように、ホルダ７の取り付け場所は、ホルダ７と同等か、またはホルダ７よりも小さなスペースで平らな部分があれば、車室内のあらゆる箇所に取り付けることが可能である。
【００２８】
また、ホルダ７へ嵌合したスピーカキャビネット５をホルダ７から取り外す場合は、スピーカキャビネット５の上部を持って引き上げる。このスピーカキャビネット５の引き上げ操作に伴って係止突起５３は、嵌合孔７１の内周壁面７３を押圧してスリット７５を押し広げた状態で切り欠き部７６から離脱し、嵌合孔７１の上端部７２方向へ移動する。この結果、スピーカキャビネット５は、容易に嵌合孔７１から取り外すことができる。
【００２９】
したがって、この第１の実施例によれば、特殊な加工を一切必要とせず、スピーカユニット６を収納したスピーカキャビネット５をホルダ７に対してワンタッチ操作で着脱することができ、かつこのホルダ７への装着と同時に電気的配線を完了させることができ、誰もが簡単に取り付けを行なうことができる。
【００３０】
さらに、ホルダ７を車室内の複数箇所へ予め設置することによって、スピーカユニット６を収納したスピーカキャビネット５の装着場所を容易に変更することが可能となり、音の放射方向を自由に変えることができ、車室内の音場調整を行なうことができる。
【００３１】
また、口径の異なる所望のスピーカユニットを収納した複数個のスピーカキャビネットを予め用意しておくことにより、追加して取り付けたり、変更することが簡単かつ容易に可能となり、より良質な音を聴取することができる。
【実施例２】
【００３２】
本発明に係るスピーカ装置の第２の実施例を図３に基づいて説明する。図３は、スピーカユニットを収納したスピーカキャビネットおよび電飾（イルミネーション）等の電子装置を収納した電子装置用キャビネットと、その両者を嵌合保持することができるホルダを示す斜視図である。なお、上述した第１の実施例と同一部分には同一符号を付し、その共通する箇所の詳細な説明は重複するため省略する。
【００３３】
この第２の実施例は、ホルダ７へスピーカキャビネット５を装着していないときに、そのホルダ７の空きを利用して、他の電子装置、例えば、電飾等の電子装置１１を収納した電子装置用キャビネット１２を装着すると同時に、電気的配線を完了できるように構成したことを特長としている。
【００３４】
上記電子装置用キャビネット１２は、合成樹脂で形成され、その内部には、電飾等の電子装置１１が収納されている。また、この電子装置用キャビネット１２は、略中央部分から下側の部分をホルダ７の嵌合孔７１に嵌合できるように、その外周壁面１２１を楕円形状に形成している。このように、電子装置用キャビネット１２の外周壁面１２１を楕円形状に形成することによって、電気装置用キャビネット１２がホルダ７へ嵌合し、固定した時に、電子装置用キャビネット１２自体が外部振動等によって回動しないように構成している。
【００３５】
また、電子装置用キャビネット１２の外周壁面１２１の下側には、露出した一対の電源入力端子１３ａ、１３ｂを設けている。この一対の電源入力端子１３ａ、１３ｂは、電飾等の電子装置１１と電気的に接続されている。さらに、電子装置用キャビネット１２の外周壁面１２１の正面下側部分には、ホルダ７の切り欠き部７６と係合する半球形状に形成した２つの係止突起１２２を設けている。
【００３６】
一方、ホルダ７の内周壁面７３の下側部分には、一対の電源用電極７８ａ、７８ｂを設けている。この一対の電源用電極７８ａ、７８ｂは、電子装置用キャビネット１２が嵌合孔７１へ嵌合し、固定された状態となった時に、電子装置用キャビネット１２の電源入力端子１３ａ、１３ｂと相対し、接触する位置に設けられている。また、この一対の電源用電極１３ａ、１３ｂは、スピーカキャビネット５の信号入力端子５２ａ、５２ｂが接触することがない位置に設けられている。
【００３７】
さらに、この電源用電極７８ａ、７８ｂには、電源コード１４が接続されている。したがって、電源入力端子１３ａ、１３ｂと電源用電極７８ａ、７８ｂとがそれぞれ接触することによって、電飾等の電子装置１１と外部電源（図示しない）との電気的配線が完了した状態となる。
【００３８】
また、電源入力端子１３ａ、１３ｂと電源用電極７８ａ、７８ｂは、少なくともそのいずれか一方にバネ性を持たせて形成することによって、電子装置用キャビネット１２をホルダ７の嵌合孔７１へ嵌合保持させた際の固定機構としての機能と、電気的接続をより確実なものとすることが可能となる。
【００３９】
したがって、この第２の実施例によれば、ホルダ７へスピーカキャビネット５を装着していない状態にあるときは、そのホルダ７の空きを利用して、他の機能を有する電子装置１１を収納した電子装置用キャビネット１２の装着を可能にするとともに、その装着と同時に電気的配線を行なうことができるから、新たに配線を施すことなく機能の拡大を図ることができる。
【実施例３】
【００４０】
本発明に係るスピーカ取付装置の第３の実施例を図４に基づいて説明する。図４は、スピーカユニットを収納したスピーカキャビネットをホルダへ装着した状態を示す一部分を断面した側面図である。なお、上述した第１の実施例と同一部分には同一符号を付し、その共通する箇所の詳細な説明は重複するため省略する。
【００４１】
この第３の実施例は、ホルダ７へスピーカキャビネット５を装着する際に、スピーカキャビネット５の自重によってホルダ７へ自動的に嵌合し、固定することができるように構成したことを特長としている。
【００４２】
この第３の実施例においては、スピーカキャビネット５の自重によって、ホルダ７の嵌合孔７１へ自動的に嵌合することができるようにするために、スピーカキャビネット５に設けた先端部分を半球形状に形成した係止突起５４が前後にスライド移動し、スピーカキャビネット５の外周壁面５１から突出あるいは没入するように構成している。
【００４３】
このように係止突起５４を構成することによって、スピーカキャビネット５をホルダ７の上向きのすり鉢形状に形成した上端部７２へ載置すると、係止突起５４に対してスピーカキャビネット５の自重が加わり、係止突起５４は、嵌合孔７１の内周壁面７３によって押圧されてスピーカキャビネット５内へ没入する。この係止突起５４の没入動作に伴って、スピーカキャビネット５は自重により嵌合孔７１内を降下する。このスピーカキャビネット５の降下により、係止突起５４が切り欠き部７６に至ると、係止突起５４に加えられていた押圧が解除されて切り欠き部７６内へ突出し、係合する。
【００４４】
係止突起５４と切り欠き部７６との係合によって、スピーカキャビネット５は、ホルダ７の嵌合孔７１へ固定され、かつ信号入力端子５２ａ、５２ｂと信号電極７４ａ、７４ｂとが接触して、電気的配線が完了する。
なお、この第３の実施例においては、スピーカキャビネット５に実施した場合について述べたが、電子装置用キャビネットへ実施した場合においても全く同様の効果を得ることができる。
【図面の簡単な説明】
【００４５】
【図１】本発明に係るスピーカ取付装置の第１の実施例を示す斜視図である。
【図２】本発明に係るスピーカ取付装置の第１の実施例を示す一部分を断面した側面図である。
【図３】本発明に係るスピーカ取付装置の第２の実施例を示す斜視図である。
【図４】本発明に係るスピーカ取付装置の第３の実施例を示す一部分を断面した側面図である。
【図５】従来のスピーカ取付装置を示す斜視図である。
【符号の説明】
【００４６】
１      車載用スピーカ
２      取付金具
３      ネジ
４      壁等
５      スピーカキャビネット
５１    外周壁面
５２ａ、５２ｂ    信号入力端子
５３    係止突起
５４    係止突起
６      スピーカユニット
７      ホルダ
７１    嵌合孔
７２    上端部
７３    内周壁面
７４ａ、７４ｂ    信号電極
７５    スリット
７６    切り欠き部
７７    取付穴
７８ａ、７８ｂ    電源用電極
８      信号伝送用コード
９      ネジ
１０    樹脂製部品
１１    電飾等の電子装置
１２    電子装置用キャビネット
１２１  外周壁面
１２２  係止突起
１３ａ、１３ｂ    電源入力端子
１４    電源コード
【図１】
2005286929.tif 000003
【図２】
2005286929.tif 000004
【図３】
2005286929.tif 000005
【図４】
2005286929.tif 000006
【図５】
2005286929.tif 000007